(57)【要約】【課題】集塵フィルタ体を頻繁に振動させることができ、この集塵フィルタ体の目詰まりによる吸込力の低下を防止することができる電気掃除機を提供すること。【解決手段】電動送風機１３の駆動に伴って生じる掃除機本体１１内の集塵室（風路）１２の圧力と大気圧との圧力差を利用して、集塵袋（集塵フィルタ体）１９を振動させる叩打装置３０とを備えた電気掃除機１０であって、叩打装置３０は、集塵室１２に風路孔３３Ｂを介して連通すると共に大気に大気孔３１Ｂを介して連通するタービン室３４と、タービン室３４に配置され且つこのタービン室３４内の圧力と大気圧との圧力差によりタービン室３４に流れる空気で回動するタービン４０と、タービン４０の回動力を伝達する回動軸４３及び偏心軸４４（回動力伝達手段）と、回動軸４３及び偏心軸４４からの力によって集塵袋１９を振動させる叩き部材（叩打体）３５とを備えている。【選択図】図３
2007143814.tif 000002
【特許請求の範囲】
【請求項１】
電動送風機を内蔵した掃除機本体と、該掃除機本体内に前記電動送風機によって吸い込まれた塵埃を集塵する集塵フィルタ体と、前記電動送風機の駆動に伴って生じる前記掃除機本体内の風路の圧力と大気圧との圧力差を利用して、前記集塵フィルタ体を振動させる叩打装置とを備えた電気掃除機であって、
前記叩打装置は、前記風路に風路孔を介して連通すると共に大気に大気孔を介して連通するタービン室と、該タービン室に配置され且つこのタービン室内の圧力と大気圧との圧力差により該タービン室に流れる空気で回動するタービンと、該タービンの回動力を伝達する回動力伝達手段と、該回動力伝達手段からの力によって前記集塵フィルタ体を振動させる叩打体とを備えていることを特徴とする電気掃除機。
【請求項２】
前記叩打装置は付勢部材を有し、該付勢部材は、前記タービンの回動によって付勢力に抗して変形させられると共にこのタービンの回動を停止させ、且つ、少なくとも復元力で前記叩打体を振動させることを特徴とする請求項１に記載の電気掃除機。
【請求項３】
前記叩打装置は、前記付勢部材の変形に伴って前記大気孔を閉塞する閉塞弁と、該閉塞弁が前記大気孔を閉塞した際に前記付勢部材の復元をロックするロック手段とを備えたことを特徴とする請求項２に記載の電気掃除機。
【発明の詳細な説明】
【技術分野】
【０００１】
この発明は、叩打装置により集塵フィルタ体を振動させて付着した塵埃を除去する電気掃除機に関するものである。
【背景技術】
【０００２】
従来から、集塵容器の下流側に二次フィルタであるプリーツフィルタを配置し、このプリーツフィルタに振動を与える振動手段を設けた電気掃除機が知られている（例えば特許文献１参照）。
【０００３】
かかる電気掃除機は、電源コードの巻き取り動作に連動して振動手段がプリーツフィルタに振動を与えるようになっており、この振動によりプリーツフィルタに付着した塵埃をふるい落とすようになっている。
【特許文献１】特開２００４−１８０７６７号公報
【発明の開示】
【発明が解決しようとする課題】
【０００４】
ところで、上述の電気掃除機では、電源コードを巻き取るときにだけ振動手段が振動を与えて除塵するようになっているので、振動を与える回数が比較的少なく、十分な除塵を行なうことができなかった。
【０００５】
そのため、プリーツフィルタの目詰まりが生じやすくなり、吸込力が低下してしまうおそれがあった。
【０００６】
そこで、この発明は、集塵フィルタ体を頻繁に振動させることができ、この集塵フィルタ体の目詰まりによる吸込力の低下を防止することができる電気掃除機を提供することを課題としている。
【課題を解決するための手段】
【０００７】
上記課題を解決するために、この発明は、電動送風機を内蔵した掃除機本体と、該掃除機本体内に前記電動送風機によって吸い込まれた塵埃を集塵する集塵フィルタ体と、前記電動送風機の駆動に伴って生じる前記掃除機本体内の風路の圧力と大気圧との圧力差を利用して、前記集塵フィルタ体を振動させる叩打装置とを備えた電気掃除機であって、前記叩打装置は、前記風路に風路孔を介して連通すると共に大気に大気孔を介して連通するタービン室と、該タービン室に配置され且つこのタービン室内の圧力と大気圧との圧力差により該タービン室に流れる空気で回動するタービンと、該タービンの回動力を伝達する回動力伝達手段と、該回動力伝達手段からの力によって前記集塵フィルタ体を振動させる叩打体とを備えていることを特徴としている。
【発明の効果】
【０００８】
本発明の電気掃除機によれば、電動送風機の駆動に伴ってタービン室内に流れる空気でタービンを回動させ、回動力伝達手段を介してこのタービンの回動力を叩打体に伝達して集塵フィルタを振動させることができる。
【０００９】
つまり、電動送風機が駆動する際に集塵フィルタ体を振動させることができ、この集塵フィルタ体に頻繁に振動を与えることができる。そして、集塵フィルタ体の目詰まりによる吸込力の低下を防止することが可能となる。
【００１０】
また、本発明ではタービンの回動力によって集塵フィルタ体を振動させるので、モータ等を備えていなくても強い力で集塵フィルタ体を振動させることが可能となる。
【発明を実施するための最良の形態】
【００１１】
以下、図面に基づいて、この発明を実施するための最良の実施の形態の電気掃除機を説明する。
【実施例１】
【００１２】
図１に示す実施例１の電気掃除機１０は、掃除機本体１１と、この掃除機本体１１内に設けた集塵室１２と、この集塵室１２を負圧にする電動送風機１３と、掃除機本体１１の前部に設けたホース接続口１１ａに一端が着脱可能に接続された集塵ホース１５と、この集塵ホース１５の他端に設けた手元操作管１７に着脱自在に接続された延長管１８と、この延長管１８の先端部に着脱自在に接続された吸込口体２０とを備えている。
【００１３】
また、集塵室１２には、集塵フィルタ体である集塵袋１９が着脱可能に装着されている。なお、集塵袋１９は例えば紙製又は布製のパックフィルタである。
【００１４】
そして、手元操作管１７には操作部１７Ａが設けられており、操作部１７Ａには複数の操作スイッチＳａが設けられている。
【００１５】
掃除機本体１１には、蓋ケース２１が後部側を回動中心にして上下方向に開閉可能に装着されており、この蓋ケース２１は、図２に示すように集塵室１２の上部開口１２Ａを覆っている。また、この蓋ケース２１には集塵室１２に臨む位置で叩打装置３０が設けられている。
【００１６】
叩打装置３０は、図２及び図３に示すように、蓋ケース２１に形成されたドーム状の膨出部３１と、この膨出部３１の下側に取り付けられた下部ケース３２と、膨出部３１と下部ケース３２との間に配置された区画壁３３と、膨出部３１と区画壁３３とによって集塵室（風路）１２から区画されたタービン室３４と、タービン室３４内に回動自在に配置されたタービン４０と、集塵袋１９を振動させる叩き部材（叩打体）３５等とを備えている。
【００１７】
膨出部３１は、図３に示すように、ドーム状に湾曲した本体部３１Ａと、この本体部３１Ａの側面に貫通形成された大気孔３１Ｂとを有している。
【００１８】
下部ケース３２は、集塵室１２側に突出しており、周縁部３２Ａが膨出部３１の周縁部３１Ｃに対向すると共に、図６に示すようにビスＢによって蓋ケース２１の裏面に固定されている。
【００１９】
また、この下部ケース３２には、図３及び図６に示すように、複数のスリット状の孔３２Ｂ・・・が形成されている。
【００２０】
区画壁３３は、図３に示すように、膨出部３１の周縁部３１Ｃと下部ケース３２の周縁部３２Ａとの間に挟持されている。そして、この区画壁３３は、中央部に貫通形成された軸孔３３Ａと、周縁部近傍に貫通形成された風路孔３３Ｂとを有している。
【００２１】
軸孔３３Ａは、タービン４０の後述する回動軸４３を回動可能に挿通するものであり、図示しない軸受が嵌合されている。
【００２２】
タービン室３４は、大気孔３１Ｂを介して大気に連通し、風路孔３３Ｂを介して集塵室１２に連通している。
【００２３】
すなわち、風路孔３３Ｂは、集塵室１２を覆う蓋ケース２１の裏面側に固定された下部ケース３２の内側に連通している。この下部ケース３２の内側は、スリット状の孔３２Ｂを介して集塵室１２に連通している。そのため、この下部ケース３２の内側及び風路孔３３Ｂを介して、タービン室３４が集塵室１２に連通することとなる。
【００２４】
叩き部材３５は、図３及び図５に示すように、平板状の基板３５Ａに複数の叩きリブ３５Ｂ・・・を設けたものである。また、基板３５Ａの中央には、軸受孔３５Ｃが貫通形成されている。
【００２５】
また、ここでは、図４に示すように、基板３５Ａの周縁部及び軸受孔３５Ｃの周縁部に、叩きリブ３５Ｂと反対側に突出した側壁Ｓが立設されている。
【００２６】
そして、この叩き部材３５は下部ケース３２の内部に配置され、下部ケース３２の孔３２Ｂから叩きリブ３５Ｂが図３に示すように下方へ突出している。
【００２７】
タービン４０は、図３及び図４に示すように、多数の羽４１Ａ・・・を有する回動円板部４１と、回動円板部４１の中央に設けられた軸部４２とを有している。
【００２８】
回動円板部４１は、タービン室３４内に配設された円盤状の板状体であり、区画壁３３に面した下面４１ａ側の周縁部に、多数の羽４１Ａ・・・が突出形成されている。
【００２９】
これらの羽４１Ａ・・・は、回動円板部４１の中心に向かって放射状に配置されると共に、風を受けやすいように僅かに湾曲している。
【００３０】
軸部４２は、回動円板部４１の下面４１ａに突出形成され、図３に示すように、羽４１Ａよりも大きく突出している。また、この軸部４２の外径は、軸孔３３Ａの内径よりも大きくなっており、軸孔３３Ａから突出しないようになっている。
【００３１】
そして、このタービン４０の軸部４２には、回動力伝達手段である回動軸４３及び、回動軸４３の先端に設けられた偏心軸４４が連結されている。
【００３２】
この回動軸４３は、タービン４０の軸部４２の中心に接続され、軸孔３３Ａに嵌合された図示しない軸受に回動可能に保持されると共に、この軸孔３３Ａを貫通している。
【００３３】
偏心軸４４は、回動軸４３に接続された平板部４４Ａと、この平板部４４Ａの周縁部に突出形成された偏心軸部４４Ｂとを有している。
【００３４】
平板部４４Ａは、叩き部材３５の軸受孔３５Ｃ近傍に位置しており、この軸受孔３５Ｃ内に偏心軸部４４Ｂが挿入されている。ここで、平板部４４Ａの外径は軸受孔３５Ｃの内径よりも大きく形成され、軸受孔３５Ｃ周縁部に立設された側壁Ｓがこの平板部４４Ａに当接することで偏心軸部４４Ｂが抜けないようになっている。
【００３５】
そして、回動円板部４１が回動することによって軸部４２が回動し、この軸部４２の回動に伴って回動軸４３及び偏心軸４４が一体に回動する。このとき、偏心軸４４の偏心軸部４４Ｂが叩き部材３５の軸受孔３５Ｃ内に挿入されているので、この叩き部材３５も連動して回動することとなる。これにより、タービン４０の回動力を叩き部材３５に伝達することができる。
【００３６】
なお、叩き部材３５は叩きリブ３５Ｂがスリット状の孔３２Ｂ内に挿入されているので、この孔３２Ｂによって回動移動が規制され、孔３２Ｂに沿って移動するようになる。
【００３７】
次に、上記のように構成される電気掃除機１０の動作について説明する。
【００３８】
電動送風機１３が停止しているときには、図３に示す叩打装置３０のタービン室３４内は大気圧になっており、タービン４０は停止している。
【００３９】
また、このとき叩き部材３５の叩きリブ３５Ｂは、集塵袋１９の上面に接触している（図３参照）。
【００４０】
この状態で、手元操作管１７の操作スイッチＳａの操作により電動送風機１３が駆動されると集塵室１２に吸込負圧が作用する。
【００４１】
この吸込負圧は、集塵ホース１５、手元操作管１７、延長管１８を介して吸込口体２０の吸込室（図示せず）に作用し、吸込口体２０の底面の吸込室の吸込開口（図示せず）から被清掃面上の塵埃及び空気が吸い込まれる。そして、吸い込まれた塵埃及び空気は、延長管１８、手元操作管１７、集塵ホース１５を介して掃除機本体１１の集塵室１２へ吸い込まれていく。
【００４２】
集塵室１２へ吸い込まれた塵埃は集塵室１２内に装着された集塵袋１９に捕集され、空気は電動送風機１３に吸い込まれた後に掃除機本体１１の図示しない排気孔から排気されていく。
【００４３】
一方、電動送風機１３の駆動により集塵室１２に吸込負圧が作用すると、この吸込負圧は、下部ケース３２の孔３２Ｂと、区画壁３３の風路孔３３Ｂとを順に介してタービン室３４に作用し、このタービン室３４内が負圧となる。
【００４４】
そして、タービン室３４内が負圧になると、大気との間に圧力差が生じ、本体部３１Ａに形成された大気孔３１Ｂからタービン室３４内に空気が流れ込み、さらに風路孔３３Ｂから下部ケース３２の孔３２Ｂを介して集塵室１２内へとこの空気が流れる。
【００４５】
このとき、タービン室３４内を流れる空気が羽４１Ａに当たって回動円板部４１が回動することとなる。
【００４６】
そして、この回動円板部４１の回動に伴って軸部４２が一体に回動し、この軸部４２の回動により回動力伝達手段である回動軸４３及び偏心軸４４が回動する。
【００４７】
ここで、偏心軸４４の偏心軸部４４Ｂが叩き部材３５の軸受孔３５Ｃに挿入されているので、偏心軸４４の回動により、偏心軸部４４Ｂが軸受孔３５Ｃの側壁Ｓに当接する。これにより、叩き部材３５が動いて集塵袋１９を振動させる。
【００４８】
なお、叩き部材３５は、叩きリブ３５Ｂが下部ケース３２の孔３２Ｂから突出しているので、この孔３２Ｂによって移動軌跡が規制され、ここでは掃除機本体１１の前後方向に沿って移動するようになっている。
【００４９】
そして、電動送風機１３が駆動している間、タービン室３４には負圧が作用し続けるので、このタービン室３４内に空気が流れてタービン４０が回転し続け、集塵袋１９を振動させ続けることができる。
【００５０】
これにより、集塵袋１９に頻繁に振動を与えることができ、集塵袋１９の目詰まりによる吸込力の低下を防止することが可能となる。
【００５１】
また、叩き部材３５は、タービン４０の回動力によって移動して集塵袋１９を振動させるので、モータ等の駆動源を備えていなくとも、強い力で集塵袋１９を振動させることができる。
【００５２】
さらに、この場合では、集塵室１２に向かって流れ込む空気によってタービン４０を回動させるので、このタービン４０に塵埃を付着しにくくすることができる。
【実施例２】
【００５３】
以下、この発明の実施例２の電気掃除機について説明する。なお、上述の実施例１の電気掃除機１０と同等の部位については同一の符号を使用し、詳細な説明を省略する。
【００５４】
この実施例２の電気掃除機では、図７（ａ）に示すように、タービン４０に接続された回動軸４３の周面の全周に沿って歯車部５０が突出形成されている。
【００５５】
さらに、膨出部３１（図７において図示せず）の内壁面には、支持アーム５１が突出形成されている。
【００５６】
この支持アーム５１の先端部には、側方に向けて突出する支持ピン５１Ａが形成されており、この支持ピン５１Ａにはコイルバネ（付勢部材）５２の一端が嵌合されている。
【００５７】
一方、歯車部５０には、ラックギア５３が噛合され、このラックギア５３の背面５３ａ側に形成された支持ピン５３Ａにコイルバネ５２の他端が嵌合されている。つまり、このコイルバネ５２を介してラックギア５３が支持アーム５１に保持されることとなる。
【００５８】
また、コイルバネ５２は、ラックギア５３の背面５３ａに沿って配置され、ラックギア５３を支持アーム５１から離間させる方向に付勢している。
【００５９】
そして、この電気掃除機では、電動送風機１３の駆動に伴ってタービン４０の回動円板部４１が矢印Ｘ（図７（ａ）参照）で示す方向に回動すると、この回動円板部４１と一体に回動軸４３が回動する。このとき、回動軸４３の周面に突出形成された歯車部５０も矢印Ｘで示す方向に回動する。
【００６０】
この歯車部５０にはラックギア５３が噛合しているので、歯車部５０の回動に伴ってラックギア５３が矢印Ｙ（図７（ａ）参照）で示す方向に、コイルバネ５２を縮めながら移動する。
【００６１】
つまり、このコイルバネ５２は、タービン４０の回動によって付勢力に抗して縮小方向に変形させられる。
【００６２】
そして、図７（ｂ）に示すように、コイルバネ５２が最大限縮められた状態になると、これ以上ラックギア５３が移動できずに停止し、これにより歯車部５０の回動が停止させられてタービン４０が停止する。
【００６３】
このとき、タービン室３４（図７において図示せず）には、電動送風機１３（図７において図示せず）による吸込負圧が作用しているので空気が流れ続け、タービン４０は矢印Ｘ方向に回動する力が作用している状態で回動が停止することとなる。
【００６４】
なお、コイルバネ５２を縮めながらタービン４０が回動する際に、このタービン４０によって叩き部材３５（図７において図示せず）は移動させられ、集塵袋１９（図７において図示せず）が振動する。
【００６５】
そして、電動送風機１３の駆動を停止させると、タービン室３４へ吸込負圧が作用しなくなり、このタービン室３４内の圧力が大気圧となる。
【００６６】
これにより、タービン室３４内へ空気が流れ込まなくなり、タービン４０に作用していた力が解除することとなる。
【００６７】
そのため、コイルバネ５２が自身の付勢力で復元し、ラックギア５３を矢印Ｙで示す方向と反対に向かって移動させる。これにより歯車部５０が矢印Ｘで示す方向と反対に回動して、タービン４０を回動させる。
【００６８】
そして、このタービン４０が回動することにより叩き部材３５が移動し、集塵袋１９を振動させることができる。
【００６９】
このとき、電動送風機１３の駆動が停止して吸込負圧が作用していないので、集塵袋１９に付着した塵埃が除去しやすく、より効果的に除塵することができる。
【００７０】
なお、この実施例２では付勢部材としてコイルバネ５２を使用したが、付勢力を有するものであればこれに限らず、例えば発条や板バネ等であってもよい。
【実施例３】
【００７１】
以下、この発明の実施例３の電気掃除機について説明する。なお、上述の実施例１の電気掃除機１０及び実施例２の電気掃除機と同等の部位については同一の符号を使用し、詳細な説明を省略する。
【００７２】
この実施例３の電気掃除機では、図８に示すように、膨出部３１の本体部３１Ａに筒状のへこみ部６０が形成され、このへこみ部６０の底面６０Ａに一対の大気孔６１、６１及びピン挿通孔６２が形成されている。
【００７３】
なお、図９に示すように、ピン挿通孔６２は底面６０Ａの中央に形成され、一対の大気孔６１、６１はこのピン挿通孔６２を挟んで互いに対向する位置に扇状に形成されている。
【００７４】
また、このへこみ部６０の周面には、後述する閉塞弁７０の回り止め部７２Ａが嵌合する溝６３が深さ方向に沿って設けられている。
【００７５】
そして、へこみ部６０内には、スプリングＳＰを介して閉塞弁７０が配置されている（図８参照）。このスプリングＳＰはへこみ部６０内に嵌合しており、閉塞弁７０を上方に向けて付勢している。すなわち、このスプリングＳＰにより、閉塞弁７０はへこみ部６０の底面６０Ａとの間に間隔をおいて保持される。
【００７６】
なお、図９及び図１０において、説明の便宜上スプリングＳＰは省略している。
【００７７】
閉塞弁７０は、上方に開口した短円筒状の弁部７１と、弁部７１の開口周縁部に設けられたフランジ部７２と、弁部７１の底面７１Ａから下方に突出したロックピン７３とを有している。
【００７８】
弁部７１は、底面７１Ａに一対の通気孔７１Ｂ、７１Ｂ（図９参照）が形成されると共に、図８に示すようにスプリングＳＰの一端に挿入嵌合している。この通気孔７１Ｂ、７１Ｂは、互いに対向する位置に扇状に形成されている。なお、この通気孔７１Ｂ、７１Ｂは、上方から見たときに大気孔６１、６１と重なり合わない位置に形成されている。
【００７９】
フランジ部７２は、スプリングＳＰの一端に当接してこのスプリングＳＰの抜け止めをしている。また、このフランジ部７２には、図９に示すように回り止め部７２Ａが側方に向かって突出形成されている。
【００８０】
ロックピン７３は、スプリングＳＰを貫通すると共に、ピン挿通孔６２を貫通し、さらに区画壁３３に形成された挿通孔３３Ｃを貫通している。そして、このロックピン７３の先端部は、後述するラックギア５５のギア本体５５Ａに接触している。
【００８１】
一方、偏心軸４４´の平板部４４Ａ´は、図９に示すように、歯車形状を呈している。そして、この平板部４４Ａ´には、ラックギア５５が噛合している。
【００８２】
ラックギア５５は、平板状のギア本体５５Ａと、このギア本体５５Ａの一側面に形成された多数の歯を有する噛合部５５Ｂと、ギア本体５５Ａの他側面の一端部に形成された支持突起５５Ｃと、支持突起５５Ｃ近傍に形成されたロック孔５５Ｄとを有している。
【００８３】
このラックギア５５は、付勢部材としてのコイルバネ５２を介して支持アーム５１に支持されている。つまり、支持アーム５１の支持ピン５１Ａにコイルバネ５２の一端が嵌合し、支持突起５５Ｃから突出した支持ピン５５ｃにコイルバネ５２の他端が嵌合している。
【００８４】
この電気掃除機では、電動送風機１３が駆動によりタービン室３４に吸込負圧が作用すると、このタービン室３４内に大気から空気が流れ込みタービン４０の回動円板部４１が回動する。
【００８５】
ここで、タービン室３４に流れ込む空気は、閉塞弁７０の通気孔７１Ｂ、７１Ｂ及び大気孔６１、６１を介して流れ込むようになっている。
【００８６】
そして、この回動円板部４１と一体に回動軸４３が回動し、歯車形状の平板部４４Ａ´が矢印Ｘ（図９参照）で示す方向に回動する。さらに、この平板部４４Ａ´の回動に伴ってラックギア５５が矢印Ｙ（図９参照）で示す方向に、コイルバネ５２を縮めながら移動する。
【００８７】
つまり、このコイルバネ５２は、タービン４０の回動によって付勢力に抗して縮小方向に変形させられる。
【００８８】
このとき、へこみ部６０の内部には通気孔７１Ｂ、７１Ｂを介して大気からの空気が流れこんでいる。この空気により、閉塞弁７０の弁部７１は下方に引っ張られ、弁部７１に下方に向かう力が作用することとなる。
【００８９】
しかしながら、この閉塞弁７０は、ロックピン７３の先端部がギア本体５５Ａに接触しているので下方に移動することができず、へこみ部６０の底面６０Ａとの間に間隔をおいた状態で保持される。
【００９０】
そして、図１０に示すように、コイルバネ５２が最大限縮められた状態になると、これ以上ラックギア５５が移動できずに停止し、これにより平板部４４Ａ´の回動が停止させられてタービン４０が停止する。
【００９１】
これと同時に、ラックギア５５に形成されたロック孔５５Ｄがロックピン７３に対向する。これにより、ロックピン７３がロック孔５５Ｄに挿入可能となるので、スプリングＳＰの付勢力に抗して弁部７１が下方に移動すると共に、ロックピン７３がロック孔５５Ｄに挿入嵌合する。
【００９２】
ここで、閉塞弁７０のフランジ部７２に設けられた回り止め部７２Ａが、へこみ部６０の溝６３に嵌合しているので、弁部７１は回転することなく下方に移動することができる。
【００９３】
そして、弁部７１が下方に移動してへこみ部６０の底面６０Ａに当接すると、底面６０Ａに形成された大気孔６１、６１が弁部７１によって閉塞され、大気からの空気の流れが停止する。
【００９４】
なお、タービン室３４には風路孔３３Ｂを介して吸込負圧が作用しているので、大気からの空気の流れが停止しても、弁部７１には下向きに引っ張られる力が作用し続ける。また、この弁部７１が短円筒形状を呈しているので、スプリングＳＰ内に嵌り込んで底面６０Ａに密着することができる。
【００９５】
一方、大気からの空気の流れが停止することによって、タービン４０に作用する回動力が解除される。しかし、このときロックピン７３がロック孔５５Ｄに挿入嵌合しているため、ラックギア５５の移動が阻止され、タービン４０は図１０に示す状態で停止することとなる。つまり、ロックピン７３及びロック孔５５Ｄが、コイルバネ５２の復元をロックするロック手段となって、ラックギア５５の移動を阻止し、タービン４０の回動を停止させる。
【００９６】
なお、コイルバネ５２を縮めながらタービン４０が回動する際に、このタービン４０によって叩き部材３５が移動させられ、集塵袋１９が振動する。
【００９７】
そして、電動送風機１３の駆動を停止させると、タービン室３４へ吸込負圧が作用しなくなり、このタービン室３４内の圧力が大気圧となる。
【００９８】
これにより、弁部７１を下向きに引っ張る力が解除され、弁部７１はスプリングＳＰの付勢力によって上方に押し上げられる。
【００９９】
このように弁部７１が上方に移動することで、ロックピン７３がロック孔５５Ｄから外れ、ロック手段が解除されることとなる。そのため、コイルバネ５２が自身の付勢力で復元し、ラックギア５５を矢印Ｙで示す方向と判単に向かって移動させる。これにより平板部４４Ａ´が矢印Ｘで示す方向と反対に回動して、タービン４０を回動させる。
【０１００】
そして、このタービン４０が回動することにより叩き部材３５が移動し、集塵袋１９を振動させることができる。
【０１０１】
このように、電動送風機１３を駆動している際に、大気孔６１、６１が弁部７１によって閉塞されるので、空気の漏れを防止して吸込仕事率の向上を図ることができる。
【０１０２】
またこのとき、ロックピン７３がロック孔５５Ｄに嵌合してラックギア５５の移動を阻止して付勢部材であるコイルバネ５２の復元を防止するので、大気からの空気流れが停止してもコイルバネ５２を変形させたまま保持でき、電動送風機１３が停止して吸込負圧が作用していない状態で除塵することが可能となる。
【０１０３】
なお、この実施例３では付勢部材としてコイルバネ５２を使用したが、付勢力を有するものであればこれに限らず、例えば発条や板バネ等であってもよい。
【０１０４】
また、閉塞弁７０の回り止めは、フランジ部７２に設けられた回り止め部７２Ａが溝６３に嵌合することで行なっているが、例えばロックピン７３とピン挿通孔６２との間に回り止めを防止する凹凸を設けてもよい。
【０１０５】
以上、この発明にかかる実施の形態の一つを図面により詳述してきたが、具体的な構成は上述の実施の形態に限らない。この発明の要旨を逸脱しない範囲の設計の変更等はこの発明に含まれる。
【０１０６】
例えば、上述の実施例では、叩打装置３０が集塵室１２の上方に配置され、この集塵室１２の圧力と大気圧との圧力差を利用しているが、これに限らない。つまり、吸込風を利用してタービンを回動させるものに限らず、排気風を利用してタービンを回動させてもよい。
【０１０７】
この場合、図１１に示すように、タービン４０を電動送風機１３が配置される送風機室１３Ａの上方に配置する。そして、タービン４０が配置されたタービン室３４と大気とを連通する大気孔８０を掃除機本体１１に形成し、送風機室１３Ａとタービン室３４とを連通する風路孔８２Ａを区画壁８２に形成する。
【０１０８】
また、タービン４０の軸部４２の先端には、偏心軸Ｈを介してシャフト８３の一端が接続されており、このシャフト８３の他端に叩き部材３５が取り付けられている。
【０１０９】
これにより、電動送風機１３が駆動することにより送風機室１３Ａ内の圧力が高まり、大気圧との圧力差が生じて送風機室１３Ａから風路孔８２Ａを介してタービン室３４へ空気が流れ出て、さらに大気孔８０を介して大気へ空気が流れ出る。
【０１１０】
この大気へ向かって流れる空気によってタービン４０が回動し、叩き部材３５を移動させて集塵袋１９を振動させることができる。
【０１１１】
またこの場合、集塵室１２の上方にタービン４０を配置する必要がないので、この集塵室１２を拡大することができる。
【０１１２】
さらに、上述の実施例では、集塵フィルタ体として集塵袋１９としているが、これに限らず、慣性分離等によって塵埃を分離した後の空気に含まれる細塵を捕集するいわゆる二次フィルタであってもよい。
【０１１３】
また、上述の実施例は、キャニスタ型のタイプの電気掃除機について説明したが、アップライト式の電気掃除機や、手元操作管等に塵埃分離のためのフィルタを取り付ける電気掃除機に適用することもできる。
【図面の簡単な説明】
【０１１４】
【図１】この発明の実施例１にかかる電気掃除機の外観を示した斜視図である。
【図２】図１に示す掃除機本体の側断面図である。
【図３】図２に示す叩打装置の構成を示した断面図である。
【図４】図３に示すタービン及び叩き部材を模式的に示した分解斜視図である。
【図５】図３に示す表示ケースの裏面を示した平面図である。
【図６】図３に示す下部ケースを示した平面図である。
【図７】（ａ）はこの発明の実施例２にかかる電気掃除機のタービン及びコイルバネを模式的に示した斜視図であり、（ｂ）は図７（ａ）において吸込負圧が作用している状態を示す斜視図である。
【図８】この発明の実施例３にかかる電気掃除機の叩打装置の構成を示した断面図である。
【図９】図８に示すタービン及びコイルバネを模式的に示した斜視図である。
【図１０】図８において吸込負圧が作用している状態を示す斜視図である。
【図１１】この発明のさらに他の例の電気掃除機の掃除機本体の側断面図である。
【符号の説明】
【０１１５】
１０      電気掃除機
１１      掃除機本体
１２      集塵室（風路）
１３      電動送風機
１９      集塵袋（集塵フィルタ体）
３０      叩打装置
３１Ｂ    大気孔
３３Ｂ    風路孔
３４      タービン室
３５      叩き部材（叩打体）
４０      タービン
４３      回動軸（回動力伝達手段）
４４      偏心軸（回動力伝達手段）
【図１】
2007143814.tif 000003
【図２】
2007143814.tif 000004
【図３】
2007143814.tif 000005
【図４】
2007143814.tif 000006
【図５】
2007143814.tif 000007
【図６】
2007143814.tif 000008
【図７】
2007143814.tif 000009
【図８】
2007143814.tif 000010
【図９】
2007143814.tif 000011
【図１０】
2007143814.tif 000012
【図１１】
2007143814.tif 000013